(57)【要約】【課題】中温取出切替弁の固着を防止する動作の最中またはその直後に給湯動作が行われたとしても給湯温度の変動を抑制することのできる貯湯式給湯装置を提供する。【解決手段】貯湯式給湯装置は、貯湯槽１と、中温取出切替弁２８と、混合弁（一般給湯側電動混合弁７、風呂給湯側電動混合弁１１）と、中温取出切替弁２８及び混合弁を制御する制御手段（制御装置２４）とを備える。中温取出切替弁２８が動作していない状態が第一基準時間以上続いており、且つ、中温水温度が第一基準温度未満である場合、または、中温取出切替弁２８が動作していない状態が第一基準時間以上続いており、且つ、中温水温度と低温水温度との差が第一基準温度差未満である場合には、制御手段は、中温取出切替弁２８を第一動作量で動作させる固着防止動作を実施する。【選択図】図１
2019143846.tif 000002
【特許請求の範囲】
【請求項１】
貯湯槽と、
前記貯湯槽の第一位置に連通する高温配管と、
前記第一位置よりも低位の第二位置で前記貯湯槽に連通する中温配管と、
前記貯湯槽から前記中温配管を通って供給される中温水が流入する中温入口と、前記中温水よりも温度の低い低温水が流入する低温入口と、水出口とを有し、前記中温入口を前記水出口へ連通させる中温位置と、前記低温入口を前記水出口へ連通させる低温位置とに流路を切り替え可能な中温取出切替弁と、
前記貯湯槽から前記高温配管を通って供給される高温湯が流入する湯側入口と、前記中温取出切替弁の前記水出口からの水が流入する水側入口と、前記湯側入口から流入した高温湯と前記水側入口から流入した水とが混合した湯が出る湯出口とを有する混合弁と、
前記中温取出切替弁の前記中温入口へ供給される中温水の温度である中温水温度を検出する中温水温度検出手段と、
前記中温取出切替弁の前記低温入口へ供給される低温水の温度である低温水温度を検出する低温水温度検出手段と、
前記中温取出切替弁及び前記混合弁を制御する制御手段とを備え、
前記中温取出切替弁が動作していない状態が第一基準時間以上続いており、且つ、前記中温水温度が第一基準温度未満である場合、または、前記中温取出切替弁が動作していない状態が前記第一基準時間以上続いており、且つ、前記中温水温度と前記低温水温度との差が第一基準温度差未満である場合には、前記制御手段は、前記中温取出切替弁を第一動作量で動作させる固着防止動作を実施する貯湯式給湯装置。
【請求項２】
前記中温取出切替弁が前記低温位置で停止していた後の前記固着防止動作においては、前記制御手段は、前記中温取出切替弁を前記低温位置から前記中温位置に向かって動作させた後に前記低温位置に戻す請求項１に記載の貯湯式給湯装置。
【請求項３】
前記中温取出切替弁が前記中温位置で停止していた後の前記固着防止動作においては、前記制御手段は、前記中温取出切替弁を前記中温位置から前記低温位置に向かって動作させた後に前記中温位置に戻す請求項１または請求項２に記載の貯湯式給湯装置。
【請求項４】
第二基準温度は、前記第一基準温度よりも高い温度であり、
第二基準温度差は、前記第一基準温度差よりも大きい温度差であり、
前記中温取出切替弁が動作していない状態が前記第一基準時間以上続いており、且つ、前記中温水温度が前記第一基準温度以上で前記第二基準温度未満である場合、または、前記中温取出切替弁が動作していない状態が前記第一基準時間以上続いており、且つ、前記中温水温度と前記低温水温度との差が前記第一基準温度差以上で前記第二基準温度差未満である場合には、前記制御手段は、前記第一動作量よりも小さい動作量で前記中温取出切替弁を動作させる固着防止動作を実施する請求項１から請求項３のいずれか一項に記載の貯湯式給湯装置。
【請求項５】
前記制御手段は、前記中温水温度が前記第二基準温度以上のとき、または前記中温水温度と前記低温水温度との差が前記第二基準温度差以上のときには、前記中温取出切替弁が動作していない状態が前記第一基準時間以上続いている場合であっても前記中温取出切替弁の固着防止動作の実施を禁止する請求項４に記載の貯湯式給湯装置。
【請求項６】
第二基準時間は、前記第一基準時間よりも長い時間であり、
前記中温水温度が前記第二基準温度以上、または前記中温水温度と前記低温水温度との差が前記第二基準温度差以上であり、且つ、前記中温取出切替弁が動作していない状態が前記第二基準時間以上続いている場合には、前記制御手段は、前記第一動作量よりも小さい動作量で前記中温取出切替弁を動作させる固着防止動作を実施する請求項４または請求項５に記載の貯湯式給湯装置。
【請求項７】
前記制御手段は、一日のうちの特定の時間帯に前記中温取出切替弁の固着防止動作を実施し、
前記特定の時間帯を使用者が設定可能とするユーザーインターフェースを備える請求項１から請求項６のいずれか一項に記載の貯湯式給湯装置。
【請求項８】
前記制御手段は、一日のうちの特定の時間帯に前記中温取出切替弁の固着防止動作を実施し、
過去所定日数の間に、前記特定の時間帯において前記混合弁から給湯した履歴がある場合には、前記制御手段は、前記第一動作量よりも小さい動作量で前記中温取出切替弁を動作させる固着防止動作を実施するか、または前記中温取出切替弁の固着防止動作の実施を禁止する請求項１から請求項７のいずれか一項に記載の貯湯式給湯装置。
【発明の詳細な説明】
【技術分野】
【０００１】
本発明は、貯湯式給湯装置に関する。
【背景技術】
【０００２】
貯湯タンクに貯えた湯を浴槽などへ供給する機能を有する貯湯式給湯装置が広く用いられている。貯湯タンクの中間部に溜まる中温水は、沸き上げ効率を低下させる要因になる。沸き上げ効率の低下を抑制するために、貯湯タンクの中間部から中温水を取り出して給湯に利用するための中温取出切替弁を備えた貯湯式給湯装置がある。
【０００３】
下記特許文献１には、貯湯式給湯装置において、電動混合弁が長時間動作していない状態が続いている場合には、電動混合弁の固着を防止するために、少なくとも１日１回強制的に電動混合弁を動作させる技術が開示されている。
【先行技術文献】
【特許文献】
【０００４】
【特許文献１】特開２０００−１８４２３号公報
【発明の概要】
【発明が解決しようとする課題】
【０００５】
中温取出切替弁は、長時間にわたって不動作状態が続くと、水垢の付着等により固着してしまう可能性がある。特許文献１の発明では、強制的に電動混合弁を動作させる固着防止動作を、使用者が給湯を利用しないと考えられる深夜時間に行っている。
【０００６】
しかしながら、生活スタイルの多様化により、深夜時間帯に給湯を利用する使用者も増加している。深夜の固着防止動作中に使用者が給湯を利用すると、給湯温度が設定温度に対して大きく変動する可能性がある。
【０００７】
本発明は、上述のような課題を解決するためになされたもので、中温取出切替弁の固着を防止する動作の最中またはその直後に給湯動作が行われたとしても給湯温度の変動を抑制することのできる貯湯式給湯装置を提供することを目的とする。
【課題を解決するための手段】
【０００８】
本発明に係る貯湯式給湯装置は、貯湯槽と、貯湯槽の第一位置に連通する高温配管と、第一位置よりも低位の第二位置で貯湯槽に連通する中温配管と、貯湯槽から中温配管を通って供給される中温水が流入する中温入口と、中温水よりも温度の低い低温水が流入する低温入口と、水出口とを有し、中温入口を水出口へ連通させる中温位置と、低温入口を水出口へ連通させる低温位置とに流路を切り替え可能な中温取出切替弁と、貯湯槽から高温配管を通って供給される高温湯が流入する湯側入口と、中温取出切替弁の水出口からの水が流入する水側入口と、湯側入口から流入した高温湯と水側入口から流入した水とが混合した湯が出る湯出口とを有する混合弁と、中温取出切替弁の中温入口へ供給される中温水の温度である中温水温度を検出する中温水温度検出手段と、中温取出切替弁の低温入口へ供給される低温水の温度である低温水温度を検出する低温水温度検出手段と、中温取出切替弁及び混合弁を制御する制御手段とを備え、中温取出切替弁が動作していない状態が第一基準時間以上続いており、且つ、中温水温度が第一基準温度未満である場合、または、中温取出切替弁が動作していない状態が第一基準時間以上続いており、且つ、中温水温度と低温水温度との差が第一基準温度差未満である場合には、制御手段は、中温取出切替弁を第一動作量で動作させる固着防止動作を実施するものである。
【発明の効果】
【０００９】
本発明によれば、中温取出切替弁の固着を防止する動作の最中またはその直後に給湯動作が行われたとしても給湯温度の変動を抑制することのできる貯湯式給湯装置を提供することが可能となる。
【図面の簡単な説明】
【００１０】
【図１】実施の形態１による貯湯式給湯装置を示す図である。
【図２】実施の形態１において制御装置が行う処理を示すフローチャートである。
【図３】実施の形態２による貯湯式給湯装置が備えるリモコンの表示部の表示例を示す図である。
【発明を実施するための形態】
【００１１】
以下、図面を参照して実施の形態について説明する。各図において共通または対応する要素には、同一の符号を付して、重複する説明を簡略化または省略する。
【００１２】
実施の形態１．
図１は、実施の形態１による貯湯式給湯装置を示す図である。図１に示すように、本実施の形態の貯湯式給湯装置は、水を加熱する加熱手段であるヒートポンプユニット２と、貯湯槽１を有する貯湯ユニット４０とを備える。ヒートポンプユニット２と、貯湯ユニット４０との間は、ＨＰ往き配管４８と、ＨＰ戻り配管４９と、電気配線（図示省略）とを介して接続されている。ヒートポンプユニット２内には、圧縮機、給湯用熱交換器、膨張弁、空気熱交換器を順次冷媒配管で接続したヒートポンプ回路が備えられている。
【００１３】
貯湯槽１は、湯水を貯留する。貯湯槽１の内部では、温度による水の密度の差によって、上側が高温で下側が低温になる温度成層を形成することができる。本実施の形態における貯湯槽１は、貯湯タンクを一つのみ備える。変形例として、貯湯槽１は、直列に接続された複数の貯湯タンクを備えたものでもよい。直列に接続された複数の貯湯タンクでは、上位側の貯湯タンクの下部と、当該貯湯タンクに対して下位側となる次の貯湯タンクの上部とが管を介して順次連結される。以下の説明において、貯湯槽１における上下方向の位置に関して言及するが、直列に接続された複数の貯湯タンクを貯湯槽１が備える場合には、それらの複数の貯湯タンクを含む貯湯槽１全体での階層において、上下方向の位置が特定されるものとする。以下の説明では、貯湯槽１に溜められた湯水を「タンク水」と呼ぶことがある。
【００１４】
貯湯槽１の外面には、貯湯槽１の上部からの容積が、例えば０Ｌ、５０Ｌ、１００Ｌ、１５０Ｌ、１７０Ｌ、２２０Ｌの各位置に、第１の温度センサ５ａ、第２の温度センサ５ｂ、第３の温度センサ５ｃ、第４の温度センサ５ｄ、第５の温度センサ５ｅ、第６の温度センサ５ｆがそれぞれ設けられており、各位置で水温を検出する。第１〜第６の温度センサ５ａ〜５ｆは、貯湯槽１内の残湯熱量を検出する残湯熱量検出手段として機能する。ＨＰ往き配管４８には、ヒートポンプユニット２への入水温度を検出する第７の温度センサ５ｇが設けられている。
【００１５】
貯湯ユニット４０内には、循環ポンプ４、一般給湯側電動混合弁７、高温配管８、給水管９、風呂給湯側電動混合弁１１、風呂開閉弁１３、風呂循環ポンプ１４、入水切替弁１７、給湯用流量センサ１９、給湯用温度センサ２０、風呂用流量センサ２１、風呂用温度センサ２２、給水温度センサ２３、出湯切替弁２６、中温戻し切替弁２７、中温取出切替弁２８、中温配管３０などがさらに備えられている。
【００１６】
給水管９の上流は、例えば水道管のような水源に接続されている。給水管９の下流側は、給水管９ａ及び給水管９ｂに分岐している。給水管９ａは、貯湯槽１の下部に接続されている。水源から供給される低温水が給水管９ａから貯湯槽１の下部に流入することで、貯湯槽１内は満水状態に維持される。
【００１７】
中温取出切替弁２８は、中温入口２８ａ、低温入口２８ｂ、及び水出口２８ｃを有する。低温入口２８ｂに給水管９ｂが接続されている。中温入口２８ａに中温配管３０の一端が接続されている。高温配管８の上流部は、貯湯槽１の上部にある第一位置１ａにて貯湯槽１内に連通する。中温配管３０の他端は、第一位置１ａよりも低位にある第二位置１ｂにて貯湯槽１内に連通する。第二位置１ｂは、給水管９ａが接続された貯湯槽１の下部よりも上位にある。すなわち、第二位置１ｂは、貯湯槽１の上部と下部との間の中間部にある。
【００１８】
貯湯槽１から中温配管３０を通って供給される中温水が中温入口２８ａに流入する。当該中温水よりも温度の低い低温水が低温入口２８ｂに流入する。本実施の形態では、水源から給水管９ｂを通って供給される低温水が低温入口２８ｂに流入する。中温取出切替弁２８は、「中温位置」と「低温位置」とに流路を切り替え可能である。「中温位置」では、中温入口２８ａが水出口２８ｃへ連通し、低温入口２８ｂが遮断される。「中温位置」のときには、中温配管３０からの中温水が水出口２８ｃへ流れる。「低温位置」では、低温入口２８ｂが水出口２８ｃへ連通し、中温入口２８ａが遮断される。「低温位置」のときには、給水管９ｂからの低温水が水出口２８ｃへ流れる。
【００１９】
一般給湯側電動混合弁７は、湯側入口７ａ、水側入口７ｂ、及び湯出口７ｃを備える。風呂給湯側電動混合弁１１は、湯側入口１１ａ、水側入口１１ｂ、及び湯出口１１ｃを備える。高温配管８の下流部は、湯側入口７ａ及び湯側入口１１ａのそれぞれに連通している。中温取出切替弁２８の水出口２８ｃは、水側入口７ｂ及び水側入口１１ｂのそれぞれに連通している。
【００２０】
第一給湯管１０の一端は、湯出口７ｃに接続されている。一般給湯側電動混合弁７は、貯湯槽１から高温配管８を通って供給される高温湯と、中温取出切替弁２８の水出口２８ｃからの水とを混合し、温度調節する。その温度調節された湯は、第一給湯管１０に流入する。第一給湯管１０を通る湯は、例えば、蛇口、シャワーなどに供給される。
【００２１】
第二給湯管１８の一端は、湯出口１１ｃに接続されている。風呂給湯側電動混合弁１１は、貯湯槽１から高温配管８を通って供給される高温湯と、中温取出切替弁２８の水出口２８ｃからの水とを混合し、温度調節する。その温度調節された湯は、第二給湯管１８に流入する。
【００２２】
給水管９には、給水温度センサ２３が設けられている。給水温度センサ２３は、給水管９を流れる水の温度である給水温度を検出する。第一給湯管１０には、給湯用流量センサ１９及び給湯用温度センサ２０が設けられている。給湯用流量センサ１９は、第一給湯管１０を流れる湯水の流量を検出する。給湯用温度センサ２０は、第一給湯管１０を流れる湯水の温度である第一給湯温度を検出する。第二給湯管１８には、風呂開閉弁１３、風呂用流量センサ２１、及び風呂用温度センサ２２が設けられている。風呂用流量センサ２１は、第二給湯管１８を流れる湯水の流量を検出する。風呂用温度センサ２２は、第二給湯管１８を流れる湯水の温度である第二給湯温度を検出する。
【００２３】
第二給湯管１８は、風呂側循環回路１２に接続されている。貯湯ユニット４０内には熱交換器１５が配置されている。風呂側循環回路１２は、貯湯式給湯装置の外部の浴室にある浴槽（図示省略）に接続されている。以下の説明では、浴槽に溜められた湯を「浴水」と呼ぶことがある。風呂側循環回路１２は、浴槽内から浴水を引き込み、熱交換器１５を経由した浴水を浴槽内に戻すことのできる経路である。風呂側循環回路１２の途中に接続された風呂循環ポンプ１４を運転すると、浴槽から浴水が風呂側循環回路１２を通過して浴槽に戻るように循環する。
【００２４】
第二給湯管１８は、風呂給湯側電動混合弁１１の湯出口１１ｃから浴槽へ供給される湯の通路を形成する。風呂開閉弁１３は、第二給湯管１８の通路を開放及び閉鎖する。浴槽へ湯を供給するとき以外は、風呂開閉弁１３が閉鎖され、湯が第二給湯管１８に流れない。貯湯ユニット４０から浴槽に湯を注入する動作を行うときには、以下のようになる。風呂開閉弁１３が開放され、第二給湯管１８に湯の流れが発生する。風呂給湯側電動混合弁１１は、第二給湯管１８を流れる湯の温度が目標温度に等しくなるように制御される。第二給湯管１８を通過した湯は、風呂側循環回路１２を通って、浴槽に流入する。風呂開閉弁１３を閉鎖すると、浴槽への湯の注入が停止する。以下の説明では、上記のようにして浴槽に湯を溜める動作を「浴槽湯はり」と称する。
【００２５】
入水切替弁１７は、入口となるａポート及びｂポートと、出口となるｃポートとを有する流路切替手段である。入水切替弁１７は、ａ−ｃ、ｂ−ｃの２つの経路の間で流路切替可能に構成されている。
【００２６】
出湯切替弁２６は、入口となるａポート及びｂポートと、出口となるｃポート及びｄポートとを有する流路切替手段である。出湯切替弁２６は、ａ−ｃ、ａ−ｄ、ｂ−ｃ、ｂ−ｄの４つの経路の間で流路切替可能に構成されている。
【００２７】
中温戻し切替弁２７は、入口となるａポートと、出口となるｂポート、ｃポート、及びｄポートとを有する流路切替手段である。中温戻し切替弁２７は、ａ−ｂ、ａ−ｃ、ａ−ｄの３つの経路の間で流路切替可能に構成されている。
【００２８】
貯湯ユニット４０は、低温配管４１、第一送水配管４２、第一温水配管４３、第二温水配管４４、第三温水配管４５、第四温水配管４６、第五温水配管４７を有している。低温配管４１は、貯湯槽１の下部と入水切替弁１７のａポートとの間を接続する。第一送水配管４２は、入水切替弁１７のｃポートと循環ポンプ４の入口との間を接続する。ＨＰ往き配管４８は、循環ポンプ４の出口と、ヒートポンプユニット２の入口との間を接続する。ＨＰ戻り配管４９は、ヒートポンプユニット２の出口と出湯切替弁２６のｂポートとの間を接続する。第一温水配管４３は、出湯切替弁２６のｄポートと、中温戻し切替弁２７のａポートとの間を接続する。第三温水配管４５は、中温戻し切替弁２７のｂポートと、貯湯槽１の上部の温水導入出口１ｃとの間を接続する。第四温水配管４６は、中温戻し切替弁２７のｄポートと、高温配管８の途中の位置との間を接続する。第五温水配管４７は、中温戻し切替弁２７のｃポートと、貯湯槽１の上部から中間部の間に設けられた温水導入口１ｄとの間を接続する。
【００２９】
温水導入出口１ｃの近くに上部温度センサ６が設けられている。上部温度センサ６によれば、ヒートポンプユニット２によって加熱されて貯湯槽１の上部に戻される湯の温度、及び貯湯槽１から高温配管８へ供給される高温湯の温度を検出可能である。
【００３０】
第一タンク循環配管１６は、第三温水配管４５の途中の位置と、熱交換器１５のタンク水の入口との間を接続する。第二タンク循環配管５０は、熱交換器１５のタンク水の出口と、入水切替弁１７のｂポートとの間を接続する。第二送水配管５１は、ＨＰ往き配管４８における循環ポンプ４とヒートポンプユニット２の入口との間から分岐し、出湯切替弁２６のａポートに接続される。風呂熱回収配管３１は、第二タンク循環配管５０の途中の位置から分岐して、中温配管３０の途中の位置に接続されている。
【００３１】
本実施の形態の貯湯式給湯装置は、制御手段としての制御装置２４を備える。制御装置２４は、上述した各アクチュエータ及び各センサと電気的に接続されている。貯湯式給湯装置の運転は、制御装置２４により制御される。制御装置２４は、例えばプロセッサ及びメモリを有する。制御装置２４は、各機器が動作した日時の履歴をメモリに記憶できる。
【００３２】
制御装置２４と、リモコン２５との間は、有線通信または無線通信により、双方向に通信可能である。制御装置２４と、リモコン２５とが、ネットワークを介して通信可能でもよい。リモコン２５は、ユーザーインターフェースの例である。リモコン２５は、使用者が操作する操作部と、情報を表示する表示部２５ａとを有する。リモコン２５は、操作部及び表示部２５ａの両方の機能を有するタッチスクリーンを備えてもよい。使用者は、リモコン２５を操作することで、貯湯式給湯装置を遠隔操作し、各種の設定などを行うことが可能である。リモコン２５の表示部２５ａは、使用者に情報を報知する報知手段としての機能を有する。本実施の形態におけるリモコン２５は、表示部２５ａを報知手段として備えるが、変形例として、例えば音声案内装置のような他の報知手段を備えてもよい。
【００３３】
本実施の形態において、リモコン２５は、例えば台所、リビング、浴室などの壁に設置されたものでもよい。または、例えばスマートフォンのような携帯情報端末がリモコン２５のようなユーザーインターフェースとしての機能を有するように構成してもよい。複数のリモコン２５が制御装置２４に対して通信可能でもよい。
【００３４】
使用者は、リモコン２５を操作することで、一般給湯側電動混合弁７についての設定温度及び風呂給湯側電動混合弁１１についての設定温度をそれぞれ変更できる。以下の説明では、一般給湯側電動混合弁７についての設定温度を「給湯設定温度」と呼び、風呂給湯側電動混合弁１１についての設定温度を「湯はり設定温度」と呼ぶ。
【００３５】
本実施の形態の貯湯式給湯装置は、ヒートポンプユニット２で加熱された湯を貯湯槽１に流入させる貯湯運転を実行できる。貯湯運転では、以下のようになる。ヒートポンプユニット２及び循環ポンプ４が運転される。貯湯槽１の下部から取り出された水が、低温配管４１、入水切替弁１７、第一送水配管４２、循環ポンプ４、及びＨＰ往き配管４８を通ってヒートポンプユニット２内に導かれる。ヒートポンプユニット２内で加熱された高温の湯は、ＨＰ戻り配管４９、出湯切替弁２６、第一温水配管４３、中温戻し切替弁２７、及び第三温水配管４５を通って、温水導入出口１ｃから貯湯槽１に流入する。貯湯運転は、典型的には、深夜電力時間帯を中心に実施され、翌日に使用される分の湯を貯湯槽１に貯える。
【００３６】
給湯用流量センサ１９が水流を検出すると、制御装置２４は、給湯用温度センサ２０により検出される温度が、目標温度である給湯設定温度に等しくなるように、一般給湯側電動混合弁７での混合比を調整するフィードバック制御を行う。風呂用流量センサ２１が水流を検出すると、制御装置２４は、風呂用温度センサ２２により検出される温度が、目標温度である湯はり設定温度に等しくなるように、風呂給湯側電動混合弁１１での混合比を調整するフィードバック制御を行う。
【００３７】
中温取出切替弁２８が低温位置にあるときには、水源からの低温水と、貯湯槽１の上部からの高温湯とが、一般給湯側電動混合弁７及び風呂給湯側電動混合弁１１にて混合される給湯動作を実行可能である。中温取出切替弁２８が中温位置にあるときには、貯湯槽１から中温配管３０へ流出した中温水と、貯湯槽１の上部からの高温湯とが、一般給湯側電動混合弁７及び風呂給湯側電動混合弁１１にて混合される給湯動作を実行可能である。本実施の形態であれば、貯湯槽１から中温配管３０へ流出する中温水を給湯に利用可能であるので、貯湯槽１内の中温水の量を低減できる。このため、ヒートポンプユニット２への入水温度を低くすることができ、ヒートポンプユニット２の運転効率を向上できる。以下の説明では、中温取出切替弁２８を中温位置とすることで中温水を給湯に利用することを「中温水利用」と呼ぶことがある。
【００３８】
本実施の形態の貯湯式給湯装置は、追い焚き運転を実行できる。追い焚き運転は、熱交換器１５にて、貯湯槽１から循環するタンク水により、浴槽から循環する浴水を加熱する運転である。追い焚き運転のときには、以下のようになる。風呂循環ポンプ１４が運転され、風呂側循環回路１２に浴水が循環する。循環ポンプ４が運転され、貯湯槽１から取り出されたタンク水が次のように循環する。貯湯槽１の上部の温水導入出口１ｃから流出した高温のタンク水は、第一タンク循環配管１６を通って、熱交換器１５に流入する。熱交換器１５内で、タンク水は、浴槽からの浴水に熱を奪われることで温度低下し、例えば５０℃程度の温度になる。この温度低下したタンク水を以下「追い焚き戻り湯」と称する。追い焚き戻り湯は、熱交換器１５から、第二タンク循環配管５０、入水切替弁１７、第一送水配管４２、循環ポンプ４、第二送水配管５１、出湯切替弁２６、第一温水配管４３、中温戻し切替弁２７、及び第五温水配管４７を通って、温水導入口１ｄから貯湯槽１内に流入する。浴槽内の浴水の温度が適温まで上昇すると、制御装置２４は、風呂循環ポンプ１４及び循環ポンプ４の動作を停止し、追い焚き運転を終了する。
【００３９】
本実施の形態の貯湯式給湯装置は、風呂熱回収運転を実行できる。風呂熱回収運転は、入浴の終了後、熱交換器１５にて、浴槽から循環する浴水によって貯湯槽１から循環するタンク水を加熱することで、浴槽内の熱を貯湯槽１内に回収する運転である。風呂熱回収運転のときには、以下のようになる。風呂循環ポンプ１４が運転され、風呂側循環回路１２に浴水が循環する。循環ポンプ４が運転され、貯湯槽１から取り出されたタンク水が次のように循環する。貯湯槽１の下部から低温配管４１へ流出した低温のタンク水は、入水切替弁１７、第一送水配管４２、循環ポンプ４、第二送水配管５１、出湯切替弁２６、第一温水配管４３、中温戻し切替弁２７、第三温水配管４５、及び第一タンク循環配管１６を通って、熱交換器１５に流入する。熱交換器１５内で、タンク水は、浴槽からの浴水の熱により加熱され、浴槽内の浴水の温度に近い温度になる。この加熱されたタンク水を以下「熱回収温水」と称する。熱回収温水は、熱交換器１５から、風呂熱回収配管３１、及び中温配管３０を通って、第二位置１ｂから貯湯槽１内に流入する。このようにして風呂熱回収運転が実施されると、貯湯槽１内で第二位置１ｂに近い高さの領域に、熱回収温水が貯留される。浴槽内の浴水の残熱の回収が終了すると、制御装置２４は、風呂循環ポンプ１４及び循環ポンプ４の動作を停止し、風呂熱回収運転を終了する。
【００４０】
本実施の形態の貯湯式給湯装置は、エア抜き運転を実行できる。エア抜き運転は、配管内のエア抜きを行うための運転である。リモコン２５にてエア抜き運転の開始の操作がされると、制御装置２４は、エア抜き運転を行う。エア抜き運転のときには、以下のようになる。循環ポンプ４が運転される。貯湯槽１の上部から取り出された高温湯が、熱交換器１５、入水切替弁１７、循環ポンプ４、ヒートポンプユニット２、出湯切替弁２６、中温戻し切替弁２７を通って、温水導入口１ｄから貯湯槽１内に流入する。同時に、貯湯槽１内の湯が第二位置１ｂから中温配管３０、風呂熱回収配管３１を通って、第二タンク循環配管５０に流入して合流する。エア抜き運転のときには、風呂循環ポンプ１４は運転されず、浴水は熱交換器１５に循環しない。このため、熱交換器１５を通る高温湯は、熱交換をせず、高温のままで温水導入口１ｄから貯湯槽１内に流入する。エア抜き運転の動作時間が所定時間を超えた場合、あるいはリモコン２５にてエア抜き運転の終了の操作がされた場合には、制御装置２４は、循環ポンプ４の動作を停止し、エア抜き運転を終了する。
【００４１】
制御装置２４は、中温水利用制御手段２４ａ、中温水利用禁止手段２４ｂ、及び中温水利用停止手段２４ｃを備える。中温水利用制御手段２４ａは、中温水が利用できるかどうかを判断し、中温取出切替弁２８に対して動作指示を送る。中温水利用制御手段２４ａは、貯湯槽１から中温配管３０へ供給される中温水の温度に基づいて、中温水が利用できるかどうかを判断する。第４の温度センサ５ｄは、第二位置１ｂと同じ高さ、またはほぼ同じ高さの位置にある。第４の温度センサ５ｄにより検出される温度は、貯湯槽１から中温配管３０へ供給される中温水の温度に等しいとみなすことができる。よって、第４の温度センサ５ｄにより、貯湯槽１から中温配管３０へ供給される中温水の温度を検出できる。以下の説明では、第４の温度センサ５ｄにより検出される温度を「中温水温度」と称する。第４の温度センサ５ｄは、中温水温度検出手段に相当する。
【００４２】
例えば、以下のようにしてもよい。中温水利用制御手段２４ａは、給湯設定温度及び湯はり設定温度の少なくとも一方に基づいて、中温取出許可温度を算出する。中温取出許可温度は、給湯設定温度あるいは湯はり設定温度よりも低い温度である。中温水利用制御手段２４ａは、中温水温度が中温取出許可温度以下であれば、中温水利用可能と判断し、中温取出切替弁２８を中温位置にする要求を出す。中温水利用制御手段２４ａは、中温水温度が中温取出許可温度よりも高ければ、中温水利用不可と判断し、中温取出切替弁２８を低温位置にする要求を出す。
【００４３】
中温水利用禁止手段２４ｂは、例えば、中温水温度が現在の温度よりも高くなる可能性がある場合に、中温水利用を禁止してもよい。中温水利用禁止手段２４ｂは、例えば、貯湯槽１内の中間部の温度が上昇する可能性のある運転、あるいは貯湯槽１内の中間部の温度が急峻に変動する可能性のある運転が行われている場合に、中温水利用を禁止してもよい。これにより、設定温度よりも高い温度の湯が第一給湯管１０または第二給湯管１８へ供給されたり、給湯温度の変動が発生したりすることを確実に防止できる。中温水利用禁止手段２４ｂは、中温水利用を禁止する場合には、中温取出切替弁２８を低温位置にする要求を出す。以下の説明では、設定温度よりも高い温度の湯が第一給湯管１０または第二給湯管１８へ供給されることを「高温給湯」と称し、第一給湯管１０または第二給湯管１８を流れる湯の温度が変動することを「給湯温度変動」と称する。高温給湯あるいは給湯温度変動が発生すると、使用者が不快感を感ずる可能性があるため、高温給湯あるいは給湯温度変動の発生をなるべく抑制する必要がある。
【００４４】
中温水利用停止手段２４ｃは、中温水利用中に、貯湯槽１内の中間部の温度が上昇する可能性のある運転、あるいは貯湯槽１内の中間部の温度が急峻に変動する可能性のある運転を開始する要求が発生した場合には、中温取出切替弁２８を中温位置から低温位置へ切り替える要求を出す。
【００４５】
制御装置２４は、上述した中温水利用制御手段２４ａ、中温水利用禁止手段２４ｂ、及び中温水利用停止手段２４ｃからの要求に応じて、中温取出切替弁２８を低温位置から中温位置へ切り替える切替動作、及び中温取出切替弁２８を中温位置から低温位置へ切り替える切替動作を行うことができる。
【００４６】
本実施の形態において、給水温度センサ２３は、中温取出切替弁２８の低温入口２８ｂへ供給される低温水の温度を検出可能である。以下の説明では、給水温度センサ２３により検出される温度を「低温水温度」と称する。給水温度センサ２３は、低温水温度検出手段に相当する。また、上部温度センサ６は、貯湯槽１から一般給湯側電動混合弁７の湯側入口７ａ及び風呂給湯側電動混合弁１１の湯側入口１１ａへ供給される高温湯の温度を検出可能である。
【００４７】
風呂給湯側電動混合弁１１は、例えば、ステッピングモータにより回転する弁体を備え、当該弁体の回転によって湯側入口１１ａの開度と水側入口１１ｂの開度との比を変えることで、湯と水の混合比を調整する。この場合、ステッピングモータの回転量に応じて混合比が変化するので、制御装置２４は、ステッピングモータの回転量の情報に対応した混合比の情報を保持することができる。以下の説明では、水側入口１１ｂからの水の混合比を最大にする状態を「水側全開」と呼び、湯側入口１１ａからの湯の混合比を最大にする状態を「湯側全開」と呼ぶことがある。水側全開は、水側入口１１ｂからの水の混合比を１００％とし、湯側入口１１ａからの湯の混合比を０％とする開度でもよい。湯側全開は、湯側入口１１ａからの湯の混合比を１００％とし、水側入口１１ｂからの水の混合比を０％とする開度でもよい。なお、一般給湯側電動混合弁７の構成は、上述した風呂給湯側電動混合弁１１の構成と同様である。
【００４８】
中温取出切替弁２８は、例えば、ステッピングモータにより回転する弁体を備え、当該弁体の回転によって、中温位置と低温位置とに流路を切り替える。この場合、制御装置２４は、ステッピングモータの回転量の情報に対応した、中温取出切替弁２８の弁体の位置情報を保持することができる。
【００４９】
中温取出切替弁２８が動作していない状態が第一基準時間以上続いており、且つ、中温水温度が第一基準温度未満である場合には、制御装置２４は、中温取出切替弁２８を第一動作量で動作させる固着防止動作を実施する。「第一基準時間」は、例えば２４時間でもよい。「第一基準温度」は、例えば４０℃でもよい。「第一動作量」は、例えば中温取出切替弁２８の弁体を１８０°回転させる動作量でもよい。本実施の形態であれば、中温取出切替弁２８が動作していない状態が長くなり過ぎることを防止できるので、水垢の付着等によって中温取出切替弁２８が固着してしまうことを確実に防止できる。中温水温度が第一基準温度未満であれば、固着防止動作の最中またはその直後に、一般給湯側電動混合弁７または風呂給湯側電動混合弁１１を用いた給湯動作が行われたとしても、高温給湯あるいは給湯温度変動は起こりにくい。本実施の形態であれば、中温水温度が第一基準温度未満であることを条件として固着防止動作を実施するので、固着防止動作の最中またはその直後に給湯動作が行われたとしても、高温給湯あるいは給湯温度変動が生じることを確実に抑制できる。
【００５０】
上記の制御に代えて、または上記の制御に加えて、変形例として、以下のように制御してもよい。制御装置２４は、中温取出切替弁２８が動作していない状態が第一基準時間以上続いており、且つ、中温水温度と低温水温度との差が第一基準温度差未満である場合に、上記と同様の固着防止動作を実施してもよい。「第一基準温度差」は、例えば２０℃でもよい。中温水温度と低温水温度との差が第一基準温度差未満であれば、固着防止動作の最中またはその直後に給湯動作が行われたとしても、高温給湯あるいは給湯温度変動は起こりにくい。本変形例によっても、上述した効果に類似した効果が得られる。
【００５１】
図２は、実施の形態１において制御装置２４が行う処理を示すフローチャートである。図２のステップＳ１００で、制御装置２４は、現在時刻が、予め設定された特定の時間帯である固着防止動作時間帯の中にあるかどうかを判断する。固着防止動作時間帯は、使用者が給湯を利用する可能性の低い時間帯に設定されることが望ましい。例えば、午前２時から午前３時までの間を固着防止動作時間帯としてもよい。制御装置２４は、現在時刻が固着防止動作時間帯の中にある場合にはステップＳ２００へ進み、現在時刻が固着防止動作時間帯の中にない場合には待機する。本実施の形態であれば、固着防止動作時間帯に限って中温取出切替弁２８の固着防止動作を実施するようにしたことで、固着防止動作の最中またはその直後に給湯動作が行われる可能性が低くなる。このため、高温給湯あるいは給湯温度変動が発生することをより確実に抑制できる。
【００５２】
ステップＳ２００では、制御装置２４は、一般給湯側電動混合弁７、風呂給湯側電動混合弁１１、中温取出切替弁２８、第４の温度センサ５ｄ、給湯用温度センサ２０、及び風呂用温度センサ２２のうちの少なくとも一つの機器に関して、例えば故障エラーのような異常がないかどうかを判断する。これらの機器のうちの少なくとも一つの機器に関して異常がある場合には、制御装置２４は、ステップＳ７０１に進み、固着防止動作を禁止し、中温取出切替弁２８の固着防止動作を実施することなく、本フローチャートの処理を終了する。給湯温度制御において重要な上記の機器に異常がある場合に中温取出切替弁２８の固着防止動作を実施すると、給湯動作が行われた場合に高温給湯あるいは給湯温度変動が発生する可能性が高くなる。本実施の形態であれば、異常がある場合に中温取出切替弁２８の固着防止動作を禁止することで、高温給湯あるいは給湯温度変動の発生をより確実に防止できる。
【００５３】
ステップＳ２００において機器に異常がない場合には、制御装置２４は、ステップＳ３００に進み、過去第一基準時間以内（例えば過去２４時間以内）に中温取出切替弁２８が動作した履歴があるかどうかを確認する。過去２４時間以内に中温取出切替弁２８が動作した履歴がある場合には、中温取出切替弁２８の固着が進行する可能性は低く、固着防止動作を実施する必要性が低い。この場合には、制御装置２４は、ステップＳ７０１に進み、固着防止動作を実施することなく、本フローチャートの処理を終了する。
【００５４】
これに対し、過去２４時間以内に中温取出切替弁２８が動作した履歴が無い場合、すなわち中温取出切替弁２８が動作していない状態が第一基準時間以上続いている場合には、制御装置２４は、ステップＳ４００に進み、中温水温度が第二基準温度未満かどうかを判断する。この第二基準温度は、前述した第一基準温度よりも高い温度である。この第二基準温度は、例えば８０℃でもよい。中温水温度が第二基準温度未満のときにはステップＳ５０１に進み、中温水温度が第二基準温度以上のときはステップＳ５０２に進む。
【００５５】
ステップＳ５０１では、制御装置２４は、過去所定日数の間（例えば過去７日間）の固着防止動作時間帯において給湯動作が行われた履歴（以下、「固着防止動作時間帯の給湯履歴」と称する）があるかどうかを確認する。固着防止動作時間帯の給湯履歴が無い場合にはステップＳ６００に進み、固着防止動作時間帯の給湯履歴がある場合はステップＳ５０２に進む。
【００５６】
ステップＳ５０２では、制御装置２４は、過去所定日数の間（例えば過去７日間）に中温取出切替弁２８の動作履歴があるかどうかを確認する。この「所定日数」は、前述した第一基準時間よりも長い第二基準時間に相当する。過去所定日数の間に中温取出切替弁２８の動作履歴が無い場合、すなわち中温取出切替弁２８が動作していない状態が第二基準時間以上続いている場合には、制御装置２４は、ステップＳ７０２に進む。ステップＳ７０２で、制御装置２４は、前述した第一動作量よりも小さい動作量で中温取出切替弁２８を動作させる固着防止動作を実施し、その後、本フローチャートの処理を終了する。「第一動作量よりも小さい動作量」とは、例えば中温取出切替弁２８の弁体を９０°回転させる動作量でもよい。
【００５７】
中温水温度が第二基準温度以上のときに実施した固着防止動作の最中またはその直後に給湯動作が行われると、高温給湯あるいは給湯温度変動が発生する可能性が比較的高くなるので、中温水温度が第二基準温度以上のときには固着防止動作をなるべく実施しないようにすることが望ましい。しかしながら、中温取出切替弁２８が動作していない状態が第二基準時間以上続いている場合には、中温取出切替弁２８の固着が進行する可能性が比較的高いので、固着防止動作を実施する必要性が高い。本実施の形態では、上記の事項を勘案し、中温水温度が第二基準温度以上であり、且つ、中温取出切替弁２８が動作していない状態が第二基準時間以上続いている場合には、制御装置２４は、上述したステップＳ７０２において、第一動作量よりも小さい動作量で中温取出切替弁２８を動作させる固着防止動作を実施する。これにより、中温取出切替弁２８の固着をより確実に防止できる。また、固着防止動作のときに第一動作量よりも小さい動作量で中温取出切替弁２８を動作させれば、中温水温度が第二基準温度以上であっても、固着防止動作の最中またはその直後の給湯動作において高温給湯あるいは給湯温度変動が発生する可能性を低減できる。
【００５８】
一方、ステップＳ５０２で過去所定日数の間に中温取出切替弁２８の動作履歴がある場合には、中温取出切替弁２８の固着が進行する可能性がまだそれほど高くはなく、固着防止動作を実施する必要性がまだそれほど高くはない。このため、この場合には、ステップＳ７０１に進み、固着防止動作を実施することなく、本フローチャートの処理を終了する。このように、本実施の形態では、中温水温度が第二基準温度以上であり、且つ、中温取出切替弁２８が動作していない状態が続いている時間が第一基準時間以上で第二基準時間未満の場合には、制御装置２４は、中温取出切替弁２８の固着防止動作の実施を禁止する。これにより、高温給湯あるいは給湯温度変動の発生を確実に防止できる。
【００５９】
ステップＳ６００では、制御装置２４は、中温水温度が第一基準温度未満かどうかを判断する。中温水温度が第一基準温度未満のときには、制御装置２４は、ステップＳ７０３に進み、第一動作量で中温取出切替弁２８を動作させる固着防止動作を実施し、その後、本フローチャートの処理を終了する。中温水温度が第一基準温度未満の場合には、比較的大きい第一動作量で中温取出切替弁２８を動作させる固着防止動作の最中またはその直後に給湯動作が行われたとしても、高温給湯あるいは給湯温度変動が生じることを確実に抑制できる。よって、この場合には、比較的大きい第一動作量で中温取出切替弁２８を動作させる固着防止動作を行うことで、より優れた固着防止効果が得られる。
【００６０】
これに対し、ステップＳ６００で中温水温度が第一基準温度以上のときには、制御装置２４は、ステップＳ７０２に進み、第一動作量よりも小さい動作量で中温取出切替弁２８を動作させる固着防止動作を実施し、その後、本フローチャートの処理を終了する。このように、本実施の形態では、中温取出切替弁２８が動作していない状態が第一基準時間以上続いており、且つ、中温水温度が第一基準温度以上で第二基準温度未満である場合には、制御装置２４は、中温取出切替弁２８を第一動作量よりも小さい動作量で動作させる固着防止動作を実施する。中温水温度が第一基準温度以上で第二基準温度未満である場合には、固着防止動作における中温取出切替弁２８の動作量を比較的小さくすれば、固着防止動作の最中またはその直後に給湯動作が行われたとしても、高温給湯あるいは給湯温度変動が生じることを確実に抑制できる。このため、上記のようにすることで、中温取出切替弁２８の固着を確実に防止しつつ、高温給湯あるいは給湯温度変動が生じることを確実に抑制できる。
【００６１】
本実施の形態では、ステップＳ５０１で過去所定日数の間に固着防止動作時間帯の給湯履歴がある場合には、制御装置２４は、第一動作量よりも小さい動作量で中温取出切替弁２８を動作させる固着防止動作を実施する（ステップＳ７０２）か、または中温取出切替弁２８の固着防止動作の実施を禁止する（ステップＳ７０３）。過去所定日数の間に固着防止動作時間帯の給湯履歴がある場合には、固着防止動作の最中またはその直後に給湯動作が行われる可能性が比較的高いと予測できる。そこで、このような場合には、上記のようにすることで、高温給湯あるいは給湯温度変動が生じることをより確実に抑制できる。
【００６２】
なお、中温取出切替弁２８が低温位置で長時間停止していた後の固着防止動作においては、制御装置２４は、中温取出切替弁２８を低温位置から中温位置に向かって動作させた後に低温位置に戻すことが望ましい。これにより、固着防止動作の後に給湯動作が行われたとしても、高温給湯あるいは給湯温度変動が生じることを確実に抑制できる。
【００６３】
また、中温取出切替弁２８が中温位置で長時間停止していた後の固着防止動作においては、制御装置２４は、中温取出切替弁２８を中温位置から低温位置に向かって動作させた後に中温位置に戻すことが望ましい。これにより、固着防止動作の後に給湯動作が行われたとしても、高温給湯あるいは給湯温度変動が生じることを確実に抑制できる。
【００６４】
以下、変形例について説明する。本実施の形態では、上記の制御に代えて、または上記の制御に加えて、以下の変形例のように制御してもよい。第一基準温度差よりも大きい温度差を「第二基準温度差」と称する。この第二基準温度差は、例えば４０℃でもよい。中温取出切替弁２８が動作していない状態が第一基準時間以上続いており、且つ、中温水温度と低温水温度との差が第一基準温度差以上で第二基準温度差未満である場合には、制御装置２４は、中温取出切替弁２８を第一動作量よりも小さい動作量で動作させる固着防止動作を実施してもよい。これにより、前述した効果に類似した効果が得られる。
【００６５】
また、制御装置２４は、中温水温度と低温水温度との差が第二基準温度差以上のときには、中温取出切替弁２８が動作していない状態が第一基準時間以上続いている場合であっても中温取出切替弁２８の固着防止動作の実施を禁止してもよい。これにより、前述した効果に類似した効果が得られる。
【００６６】
また、中温水温度と低温水温度との差が第二基準温度差以上であり、且つ、中温取出切替弁２８が動作していない状態が第二基準時間以上続いている場合には、制御装置２４は、第一動作量よりも小さい動作量で中温取出切替弁２８を動作させる固着防止動作を実施してもよい。これにより、前述した効果に類似した効果が得られる。
【００６７】
実施の形態２．
次に、図３を参照して、実施の形態２について説明するが、前述した実施の形態１との相違点を中心に説明し、同一部分または相当部分については説明を簡略化または省略する。図３は、実施の形態２による貯湯式給湯装置が備えるリモコン２５の表示部２５ａの表示例を示す図である。
【００６８】
実施の形態１では、中温取出切替弁２８の固着防止動作の最中またはその直後に給湯動作が行われる可能性をなるべく低くするために、深夜時間帯に固着防止動作時間帯を設定している。しかしながら、使用者の生活習慣によっては、深夜時間帯であっても頻繁に給湯動作が行われる可能性がある。
【００６９】
そこで、本実施の形態では、使用者がリモコン２５を操作することで、固着防止動作時間帯を任意の時間帯に設定できるようにしている。図３は、固着防止動作時間帯を設定する操作をリモコン２５に対して行ったときの表示部２５ａの表示例を示す。この例では、固着防止動作時間帯を「メンテナンス時間帯」という名称で表示している。例えばこのような名称を用いることで、使用者の理解が得られやすくなる。
【００７０】
図３に示すように、固着防止動作時間帯を設定する操作を行うと、まず「メンテナンス時間帯  ○○時〜○○時」という設定画面ａが表示部２５ａに表示される。使用者は、設定画面ａを見ることで、自身が設定した固着防止動作時間帯を確認することができる。表示部２５ａの表示は、設定画面ａから「メンテナンス時間帯が設定されました」というガイダンス画面ｂに切り替わり、続いて「メンテナンス時間帯では」というガイダンス画面ｃに切り替わり、さらに「給湯の利用をお控えください」というガイダンス画面ｄに切り替わる。このようなガイダンス画面ｂ〜ｄを表示することで、固着防止動作時間帯に給湯を利用すべきでないことを使用者に報知する。これにより、固着防止動作時間帯に使用者が給湯を利用する可能性を確実に低減できるので、高温給湯あるいは給湯温度変動の発生を確実に抑制できる。
【００７１】
本実施の形態であれば、使用者毎の生活習慣に応じて固着防止動作時間帯を使用者が任意に設定することができるので、利便性を向上しつつ、中温取出切替弁２８の固着防止動作の最中またはその直後に給湯動作が行われる可能性をさらに低くすることができる。
【符号の説明】
【００７２】
１  貯湯槽、  １ａ  第一位置、  １ｂ  第二位置、  １ｃ  温水導入出口、  １ｄ  温水導入口、  ２  ヒートポンプユニット、  ４  循環ポンプ、  ７  一般給湯側電動混合弁、  ７ａ  湯側入口、  ７ｂ  水側入口、  ７ｃ  湯出口、  ８  高温配管、  ９，９ａ，９ｂ  給水管、  １０  第一給湯管、  １１  風呂給湯側電動混合弁、  １１ａ  湯側入口、  １１ｂ  水側入口、  １１ｃ  湯出口、  １２  風呂側循環回路、  １３  風呂開閉弁、  １４  風呂循環ポンプ、  １５  熱交換器、  １７  入水切替弁、  １８  第二給湯管、  １９  給湯用流量センサ、  ２０  給湯用温度センサ、  ２１  風呂用流量センサ、  ２２  風呂用温度センサ、  ２３  給水温度センサ、  ２４  制御装置、  ２４ａ  中温水利用制御手段、  ２４ｂ  中温水利用禁止手段、  ２４ｃ  中温水利用停止手段、  ２５  リモコン、  ２５ａ  表示部、  ２６  出湯切替弁、  ２７  中温戻し切替弁、  ２８  中温取出切替弁、  ２８ａ  中温入口、  ２８ｂ  低温入口、  ２８ｃ  水出口、  ３０  中温配管、  ３１  風呂熱回収配管、  ４０  貯湯ユニット、  ４８  ＨＰ往き配管、  ４９  ＨＰ戻り配管
【図１】
2019143846.tif 000003
【図２】
2019143846.tif 000004
【図３】
2019143846.tif 000005